(57)【要約】【課題】  安全且つ簡単に介助用椅子の座面や浴室の床を保温できる椅子や保温具等を提供する。【解決手段】  入浴介助用の椅子の背面に設置する保温具である。この保温具は、シャワーを椅子に保持する保持部材と、シャワーから排出されたお湯を椅子の座面や浴室の床面に誘導する誘導部材とを備える。  保持部材でシャワーを保持し、シャワーからお湯を出すと、お湯は誘導部材により椅子の座面の中心部や浴室入り口周辺の床面に誘導され、座面や床面が保温される。【選択図】図１０
2018204413.tif 000002
【特許請求の範囲】
【請求項１】
シャワーを椅子に保持する保持部材と、
前記シャワーから排出された液体を、前記椅子の座面に誘導する誘導部材と、
を備えることを特徴とする座面の保温具。
【請求項２】
前記誘導部材の液体排出部は、前記座面より上に位置することを特徴とする請求項１記載の座面の保温具。
【請求項３】
前記誘導部材は、前記座面の中心方向に前記液体を誘導することを特徴とする請求項１記載の座面の保温具。
【請求項４】
前記誘導部材の液体排出部は、前記座面の外周面に向けて液体を排出することを特徴とする請求項１記載の座面の保温具。
【請求項５】
前記誘導部材は、
前記液体を前記座面の中心より右方向に誘導する右誘導部と、
前記液体を前記座面の中心より左方向に誘導する左誘導部と、
を備えることを特徴とする請求項１記載の座面の保温具。
【請求項６】
前記誘導部材の液体排出部は、
前記椅子の座面の右外周面の近傍、
または前記座面の左外周面の近傍、
または前記座面の後方外周面の近傍、
に位置することを特徴とする請求項１記載の座面の保温具。
【請求項７】
前記保持部材は、シャワーヘッドの全部または一部を収納できる空間を備えることを特徴とする請求項１記載の座面の保温具。
【請求項８】
前記保持部材は、前記座面より上に位置することを特徴とする請求項１記載の座面の保温具。
【請求項９】
前記保持部材または前記誘導部材は、消毒剤または消毒剤を保持する消毒剤保持具を備えることを特徴とする請求項１記載の座面の保温具。
【請求項１０】
シャワーを椅子に保持する保持部材と、
前記シャワーから排出された液体を、前記椅子の座面に誘導する誘導部材と、
を備えることを特徴とする椅子。
【請求項１１】
液体供給具を椅子に保持する保持部材と、
前記液体供給具から排出された液体を前記椅子の座面に誘導する誘導部材と、
を備えることを特徴とするの座面の保温具。
【請求項１２】
シャワーを椅子に保持し、
前記シャワーから継続的に排出される液体を、前記椅子の座面に誘導することを特徴とする座面の保温方法。
【請求項１３】
液体を貯えるタンクと、
前記タンクから排出された液体を、椅子の座面に誘導する誘導部材と、
を備えることを特徴とするの座面の保温具。
【請求項１４】
液体を貯えるタンクと、
前記タンクから排出された液体を、椅子の座面に誘導する誘導部材と、
を備えることを特徴とする椅子。
【請求項１５】
液体を貯えるタンクから排出された液体を、椅子の座面に誘導することを特徴とする座面の保温方法。
【請求項１６】
シャワーを椅子に保持する保持部材と、
前記シャワーから排出された液体を、浴室の床面に誘導する誘導部材と、
を備えることを特徴とするの床面の保温具。
【請求項１７】
前記誘導部材の液体排出部は、前記床面より上、且つ、前記椅子の座面より下に位置することを特徴とする請求項１６記載の床面の保温具。
【請求項１８】
前記誘導部材は、浴室の入り口方向に前記液体を誘導することを特徴とする請求項１６記載の床面の保温具。
【請求項１９】
前記誘導部材の液体排出部は、排出角度の調整手段を備えることを特徴とする請求項１６記載の床面の保温具。
【請求項２０】
前記誘導部材の液体排出部は、下方に液体を排出することを特徴とする請求項１６記載の床面の保温具。
【請求項２１】
シャワーを椅子に保持する保持部材と、
前記シャワーから排出された液体を、浴室の床面に誘導する誘導部材と、
を備えることを特徴とする椅子。
【請求項２２】
液体供給具を椅子に保持する保持部材と、
前記液体供給具から排出された液体を、浴室の床面に誘導する誘導部材と、
を備えることを特徴とするの床面の保温具。
【請求項２３】
シャワーを保持し、
前記シャワーから継続的に排出される液体を、浴室の床面に誘導することを特徴とする床面の保温方法。
【請求項２４】
椅子の座面中心方向にシャワーの液体排出面を向けた状態で、前記椅子に前記シャワーを保持することを特徴とするシャワー保持具。
【請求項２５】
前記液体排出面が前記椅子の外周面に向いた状態で前記シャワーを保持することを特徴とする請求項２４記載のシャワー保持具。
【請求項２６】
前記液体排出面が、
前記椅子の座面の近傍に位置するように前記シャワーを保持する
ことを特徴とする請求項２４記載のシャワー保持具。
【請求項２７】
前記液体排出面が、
前記椅子の座面の右外周面の近傍、
または前記座面の左外周面の近傍、
または前記座面の後方外周面の近傍、
に位置するように前記シャワーを保持することを特徴とする請求項２４記載のシャワー保持具。
【請求項２８】
前記液体排出面が、
下方を向くように前記シャワーを保持することを特徴とする請求項２４記載のシャワー保持具。
【請求項２９】
前記液体排出面が、
前記座面より上に位置するように前記シャワーを保持することを特徴とする請求項２４記載のシャワー保持具。
【請求項３０】
前記シャワーのシャワーヘッドの根本部が、
前記座面より下に位置するように前記シャワーを保持することを特徴とする請求項２４記載のシャワー保持具。
【請求項３１】
前記液体排出面を有する液体排出部または前記シャワーの胴体部を保持することを特徴とする請求項２４記載のシャワー保持具。
【請求項３２】
前記シャワーと前記椅子との距離を一定に保つためのアーム部を有することを特徴とする請求項２４記載のシャワー保持具。
【請求項３３】
前記アーム部は、前記シャワーヘッドの長さより短いことを特徴とする請求項３２記載のシャワー保持具。
【請求項３４】
前記液体排出面の角度を調節するための角度調節部材を有することを特徴とする請求項２４記載のシャワー保持具。
【請求項３５】
前記椅子の背もたれ部に設けられることを特徴とする請求項２４記載のシャワー保持具。
【請求項３６】
前記椅子の背もたれ部の下部にに設けられることを特徴とする請求項２４記載のシャワー保持具。
【請求項３７】
前記椅子の座面と背もたれ部とを連結する連結材に設けられることを特徴とする請求項２４記載のシャワー保持具。
【請求項３８】
前記椅子の座部、または前記椅子の脚の上部、または前記椅子の肘掛けに設けられることを特徴とする請求項２４記載のシャワー保持具。
【請求項３９】
椅子の座面中心方向にシャワーの液体排出面を向けた状態で、前記椅子に前記シャワーを保持するシャワー保持具を備える椅子。
【請求項４０】
椅子の座面中心方向に液体供給具の排出口を向けた状態で、前記椅子に前記液体供給具を保持することを特徴とする液体供給具の保持具。
【請求項４１】
椅子の座面中心方向にシャワーの液体排出面を向けた状態で、前記椅子に前記シャワーを保持し、
前記液体排出面から継続的に液体を排出することを特徴とする座面の保温方法。
【発明の詳細な説明】
【技術分野】
【０００１】  本発明は、椅子（主に入浴介助用の椅子）、その椅子の座面や浴室の床を保温するための器具等に関する。
【背景技術】
【０００２】  高齢者施設では高齢者の入浴介助を行っており、その入浴介助の方法の一例は以下の通りである（図１３）。なお、ここでは足に障害のある歩行困難者（介助者の助けがないと歩行できない高齢者）を例に説明する。
脱衣所で介助者９１は高齢者９２の着衣を脱がせた後、介助者９１は両手で高齢者９２の両手を支え、入浴介助用の椅子９３のところまで誘導し、高齢者９２を椅子９３に座らせる。【０００３】  しかし、椅子９３の座面９４が冷たい場合があり、高齢者９２に不快な思いをさせてしまうことが多々ある。高齢者施設では何人もの高齢者を入浴させるので、座面９４が常に濡れていて、座面９４が冷たくなるからである。
これに対し、介助者９１は高齢者９２を椅子９３に誘導する前に、座面９４にシャワーのお湯をかけて座面９４を温めるようにしている。
しかし、高齢者９２は迅速に行動できないため、座面９４を温めても、誘導する間に座面９４が冷めてしまう。【０００４】
【先行技術文献】
【非特許文献】
【０００５】
【非特許文献１】楽天市場ホームページ、ｈｔｔｐ：／／ｐｒｏｄｕｃｔ．ｒａｋｕｔｅｎ．ｃｏ．ｊｐ／ｐｒｏｄｕｃｔ／−／ｂ３７１３４ｃ５８ｂ８ｃａｆ２ｄ４ｅ５ｂ６７ｃｃ２５５ｃｆ５ｆ５／？ｓｃｉｄ＝ｓ＿ｋｗａ＿ｐｌａ＿ｍｄｃ、２０１７年５月２２日検索
【発明の概要】
【発明が解決しようとする課題】
【０００６】  それを防ぐため、介助者９１は高齢者９２を椅子９３の近くまで誘導したところで、一旦高齢者９２の片手を離し、シャワーで座面９４を温めている。
しかし、歩行困難な高齢者９２を片手だけで支えると、高齢者９２がバランスを崩して転倒する恐れがあり危険であった。特に、介助者９１は、片手で高齢者９２を支えながらシャワーを操作するので、注意散漫となり事故が起こりやすくなる。また、高齢者９２を片手で支えながらシャワーを座面９４にかけるのは介助者９１にとって難しく面倒な作業でもあった。
なお、この問題は椅子９３の座面９４だけで起こることではない。浴室の床９５もすぐに冷たくなり高齢者９２に不快な思いをさせるという問題が起こっていた。【０００７】  本発明は、このような課題を解決するためのものであり、安全且つ簡単に介助用椅子の座面や浴室の床を保温できる椅子や保温具等を提供するものである。
【課題を解決するための手段】
【０００８】  上記問題を解決するため、本発明では、以下の保温具や保温方法等が提供される。
（１）シャワーを椅子に保持する保持部材と、前記シャワーから排出された液体を、前記椅子の座面に誘導する誘導部材と、を備える座面の保温具。
（２）前記誘導部材の液体排出部は、前記座面より上に位置する。
（３）前記誘導部材は、前記座面の中心方向に前記液体を誘導する。
（４）前記誘導部材の液体排出部は、前記座面の外周面に向けて液体を排出する。
（５）前記誘導部材は、前記液体を前記座面の中心より右方向に誘導する右誘導部と、前記液体を前記座面の中心より左方向に誘導する左誘導部と、を備える。
（６）前記誘導部材の液体排出部は、前記椅子の座面の右外周面の近傍、または前記座面の左外周面の近傍、または前記座面の後方外周面の近傍、に位置する。
（７）前記保持部材は、シャワーヘッドの全部または一部を収納できる空間を備える。
（８）前記保持部材は、前記座面より上に位置する。
（９）前記保持部材または前記誘導部材は、消毒剤または消毒剤を保持する消毒剤保持具を備える。
（１０）シャワーを椅子に保持する保持部材と、前記シャワーから排出された液体を、前記椅子の座面に誘導する誘導部材と、を備える椅子。
（１１）液体供給具を椅子に保持する保持部材と、前記液体供給具から排出された液体を前記椅子の座面に誘導する誘導部材と、を備える座面の保温具。
（１２）シャワーを椅子に保持し、前記シャワーから継続的に排出される液体を、前記椅子の座面に誘導する座面の保温方法。
（１３）液体を貯えるタンクと、前記タンクから排出された液体を、椅子の座面に誘導する誘導部材と、を備えることを特徴とするの座面の保温具。
（１４）液体を貯えるタンクと、前記タンクから排出された液体を、椅子の座面に誘導する誘導部材と、を備えることを特徴とする椅子。
（１５）液体を貯えるタンクから排出された液体を、椅子の座面に誘導する座面の保温方法。
（１６）シャワーを椅子に保持する保持部材と、前記シャワーから排出された液体を、浴室の床面に誘導する誘導部材と、を備えることを特徴とするの床面の保温具。
（１７）前記誘導部材の液体排出部は、前記床面より上、且つ、前記椅子の座面より下に位置する。
（１８）前記誘導部材は、浴室の入り口方向に前記液体を誘導する。
（１９）前記誘導部材の液体排出部は、排出角度の調整手段を備える。
（２０）前記誘導部材の液体排出部は、下方に液体を排出する。
（２１）シャワーを椅子に保持する保持部材と、前記シャワーから排出された液体を、浴室の床面に誘導する誘導部材と、を備えることを特徴とする椅子。
（２２）液体供給具を椅子に保持する保持部材と、前記液体供給具から排出された液体を、浴室の床面に誘導する誘導部材と、を備えることを特徴とするの床面の保温具。
（２３）シャワーを保持し、前記シャワーから継続的に排出される液体を、浴室の床面に誘導することを特徴とする床面の保温方法。
（２４）椅子の座面中心方向にシャワーの液体排出面を向けた状態で、前記椅子に前記シャワーを保持することを特徴とするシャワー保持具。
（２５）前記液体排出面が前記椅子の外周面に向いた状態で前記シャワーを保持することを特徴とする請求項２４記載のシャワー保持具。
（２６）前記液体排出面が、前記椅子の座面の近傍に位置するように前記シャワーを保持する。
（２７）前記液体排出面が、前記椅子の座面の右外周面の近傍、または前記座面の左外周面の近傍、または前記座面の後方外周面の近傍、に位置するように前記シャワーを保持する。
（２８）前記液体排出面が、下方を向くように前記シャワーを保持する。
（２９）前記液体排出面が、前記座面より上に位置するように前記シャワーを保持する。
（３０）前記シャワーのシャワーヘッドの根本部が、前記座面より下に位置するように前記シャワーを保持する。
（３１）前記液体排出面を有する液体排出部または前記シャワーの胴体部を保持する。
（３２）前記シャワーと前記椅子との距離を一定に保つためのアーム部を有する。
（３３）前記アーム部は、前記シャワーヘッドの長さより短い。
（３４）前記液体排出面の角度を調節するための角度調節部材を有する。
（３５）前記椅子の背もたれ部に設けられる。
（３６）前記椅子の背もたれ部の下部にに設けられる。
（３７）前記椅子の座面と背もたれ部とを連結する連結材に設けられる。
（３８）前記椅子の座部、または前記椅子の脚の上部、または前記椅子の肘掛けに設けられる。
（３９）椅子の座面中心方向にシャワーの液体排出面を向けた状態で、前記椅子に前記シャワーを保持するシャワー保持具を備える椅子。
（４０）椅子の座面中心方向に液体供給具の排出口を向けた状態で、前記椅子に前記液体供給具を保持することを特徴とする液体供給具の保持具。
（４１）椅子の座面中心方向にシャワーの液体排出面を向けた状態で、前記椅子に前記シャワーを保持し、
前記液体排出面から継続的に液体を排出することを特徴とする座面の保温方法。
【発明の効果】
【０００９】  （１）本発明を利用すれば、安全且つ簡単に介助用の椅子の座面や浴室の床を保温できる。
（２）本発明では、シャワーから排出されるお湯の向きや、シャワーの排出面の位置や向きを適切にできるので、入浴する高齢者等の体に直接お湯がかかることがない。また、高齢者等が座る椅子の座面の中心部分を確実に保温することができる。更に、床面も必要な部分を確実に保温できる。よって、高齢者等は快適に入浴できる。
（３）本発明では、シャワーヘッドを保温具に挿入するだけで、椅子の座面や床面を保温できるので、介助者の作業負担が大幅に軽減される。
【図面の簡単な説明】
【００１０】
【図１】  実施例１に係る保持具１の斜視図である。
【図２】  椅子２の側面図および上面図である。
【図３】  シャワー３の側面図である。
【図４】  保温具１を備えた椅子４の側面図である。
【図５】  保温具１を備えた椅子４の背面図である。
【図６】  実施例２に係る保温具１を備えた椅子４の側面図である。
【図７】  実施例３に係る保温具５の斜視図および保温具５を取り付けた椅子２の側面図である。
【図８】  実施例４に係るシャワー保持部材６を備えた椅子４の側面図および背面図である。
【図９】  実施例５に係るシャワー保持部材７を備えた椅子４の側面図および背面図である。
【図１０】  実施例６に係る保温具８の斜視図および保温具８を備えた椅子４の側面図である。
【図１１】  実施例６に係る保温具８の先端の断面図および排水管８３の動きを表した底面図である。
【図１２】  実施例７に係る椅子４の側面図およびホース固定部材８８を備えた椅子４の背面図である。
【図１３】  従来の入浴介助の様子を表した図である。
【発明を実施するための形態】
【実施例１】
【００１１】  本発明は、保温具１を椅子２に取付けた「保温具を備える椅子４」に関するものであり、保温具１にシャワー３を保持し、シャワー３から出るお湯で椅子２を保温するものである。以下、本発明の実施例１を図に基づいて説明する。【００１２】  まずは、椅子２の座面２３を保温するための保温具１について説明する。
図１は保温具１の斜視図である。
保温具１は、円筒状の本体部１１と、管状の誘導管１２とからなる。本実施例のおいて、本体部１１は保持部材としての役割を果たし、誘導管１２は誘導部材としての役割を果たす。
本体部１１は、内部空間１３を有し、その上面１４は開口しており、底面１５は円形の板状部材であり通孔１６を有する。本体部１１の内部空間１３（内部空間１３の直径および深さ）は、後述するシャワーヘッド３４を挿入可能な大きさであり、ここにシャワーヘッド３４を挿入すれば、シャワー３を椅子２に保持できる（詳しくは後述する）。
本体部１１は円筒形状でなくても良い。シャワー２を保持できるものであれば、どのような形状であっても良い。例えば、楕円形上の筒でもよく、四角柱などの多角形形状の筒でも良い。また、本体部１１は筒状でなくても良い。広く市販されているシャワーフック（シャワーヘッドの根元部分を保持する断面がＣ字型のフック）などでも良い。すなわち、本体部１１はシャワー２を椅子２に保持できるものであれば、どのようなものであっても良い。【００１３】  誘導管１２は、本体部１１から下方に伸びる垂直管１７と、本体部１１の軸に対して外方に向かうお湯の排出管１８とからなる。垂直管１７の上面開口部は通孔１６と連通しているので、本体部１１の内部空間１３に液体（お湯）を入れれば、お湯は排出管１８の内部通路を通って排出口１９（液体排出部）から排出される
本実施例では管状の部材（誘導管１２）を誘導部材としているが、管状の部材に限らない。お湯を、後述する椅子２の座面２３に誘導できるものではれば、他の部材であっても良い。【００１４】  図２（ａ）は、入浴介助用の椅子２の側面図である。
椅子２は、脚２０と、座板２１と、座板用クッション２２と、背もたれ部（背板２５と、座板２１と背板２５とを連結する連結パイプ２４とからなる背もたれ部）と、背面クッション２６とからなる。
図２（ｂ）は椅子２の上面図である。座板用クッション２２の上面（座面２３）は、破線で示した各領域を有する。すなわち、座面２３は、中心面２７と外周面２８（中心面の右外周面２８ａと、中心面の前方外周面２８ｂと、中心面の左外周面２８ｃと、中心面の後方外周面２８ｄとからなる外周面２８）とからなる。なお、図２（ｂ）は座面２３の領域相互の位置関係を示したものに過ぎず、各領域の大きさはこの図に示したものに限らない。【００１５】  図３はシャワー３（液体供給具）の側面図である。
シャワー３は、広く市販されている一般的なものであり、お湯を排出する排出面３１（液体排出面）を有するお湯の排出部３０と、胴体部３２と、根元部３３と、ホース３６と、ホース３６と根元部３３とを連結する連結部３５とからなる。なお、排出部３０と胴体部３２と根元部３３とでシャワーヘッド３４を形成する。【００１６】  図４は、保温具１を椅子２に取り付けた「保温具１を備えた椅子４」の側面概略図である。
保温具１は椅子２の背面（背板２５の裏面）に取付け、固定される。なお、固定手段は既知の手段であり、例えば、接着や溶接による固定手段や、螺子やボルト・ナットによる固定手段が考えられる。また、保持具１と椅子２とを一体的に形成しても良い。
保温具１は、以下の条件を満たすよう椅子２に設置・固定される（ただし、これに限るものではない）。保温具１は座面２３より上に位置する。
排水口１９は座面２３より上に位置する。排水口１９は外周面２８（ここでは後方外周面２８ｂであるが、右外周面ａまたは左外周面ｃであってもよい）の近傍に位置し、外周面２８に向かってお湯を排出する。排水口１９は下方を向き、且つ、外周面２８の方向を向き、且つ、座面２３の中心方向に向くようにする。
近傍とは、原則として、排水口１９が外周面２８から離れすぎて排水口１９から排出されたお湯が座面２３の中心面２７に飛び散らない距離を指すがこれに限るものではない。近傍とは、排水口１９と外周面２８とが接する状態から、排水口１９と外周面２９との距離が８センチメートル以内を言うが、これに限るものではない。【００１７】  次に、図４に基づき保温具１を備えた椅子４の使用方法を説明する。
保温具１の内部空間１３内にシャワーヘッド３４の全部または一部を挿入してシャワー３を保持し、シャワー３の排出面３１からお湯（液体）を出す。お湯は保温器１の内部空間１３に貯まると共に、排出口１９から座面２３の後方外周面ｂに向かって排出される。排出口１９から排出されたお湯は、図５に示された２本の連結パイプ２４の間を通り、座面２３の後方外周面２８ｂ上に到達し、座面２３の中心面２７および座面２３の前方外周面２８ｄへと流れる。これにより、座面２３はシャワー３からお湯が継続的に出ている間（内部空間１３内にお湯が貯まっている間）は温かい状態が続き、座面２３を保温できる。
なお、排出口１９から排出されたお湯は、座面２３の中心面２７には直接届かないので（中心面２７には座面２３の上面を這うように伝わり流れるので）、高齢者９２の臀部にお湯は直接かからない。高齢者９２の臀部にお湯が直接かかると高齢者９２が驚き不快な思いをするが、本実施例ではお湯は外周面２８に直接かかるので、この問題を防止できるのである。
また、排出口１９を左右２つに分けて（右誘導部と左誘導部とを設けて）、一方は座面２３の中心より右側に、他方は座面２３の中心より左側にお湯を誘導するようにしても良い。さらに、排出口１９を水平方向に幅広にすれば（垂直方向を細くすれば）お湯を座面２３全体に届けることができる。
【実施例２】
【００１８】  次に、本発明の実施例２を図６に基づいて説明する。
図６は保温具１を備えた椅子４の側面図である。
本実施例は、シャワー３を使用せず、保温具１の本体部１１を貯水タンクとして使用するものである。
保温具１の内部空間１３にお湯を入れる。ここではシャワー３を使用せず、図示しないお風呂の浴槽内からお湯を桶で汲み出し、内部空間１３に入れる。これにより、内部空間１３内にお湯が貯まっている間は実施例１と同様に座面２３を保温できる。また、実施例１はシャワー３からお湯を出し続けるため水道代が高額になってしまうが、本実施例の場合は水道代を節約できる。
なお、貯水タンク内に消毒剤１０ａおよび消毒剤１０ａを保持する消毒剤保持具１０を設け、貯水タンク内のお湯を消毒成分を含むお湯にしても良い。このようにすれば、座面２３や浴室内の床を清潔に保つことができる。また、この消毒剤保持具１０は実施例１の本体部１１または誘導管１２にも設けても良い。
【実施例３】
【００１９】  次に、本発明の実施例３を図７に基づいて説明する。
図７（ａ）は実施例１の保温具１とほぼ同様の保温具５の斜視図であり、保温具１とはフック５０（椅子２への取付部材）を備える点で異なる。フック５０は、本体部１１の上縁から上方に伸びる鈎上の部材である。
図７（ｂ）は、このフック５０を椅子２に取り付けた状態を表す側面図である。背板２５と背面クッション２６との間にフック５０の先端を挿入し、フック５０の上端を椅子２の背板２５の上端で保持する。このようにすれば、保温具１を備えていない市販の椅子２にも容易に保温具１を取付け、設置できる。
【実施例４】
【００２０】  次に、本発明の実施例４を図８に基づいて説明する。
実施例１では、本体部１１（シャワーの保持部材）と誘導管１２（お湯の誘導部材）とを備える保温具１について説明した。本実施例では、シャワーの保持部材（保持具）だけを備える椅子４（お湯の誘導部材を備えない椅子４）について説明する。
図８（ａ）は図８（ｂ）に示す保持具６でシャワー３を保持した椅子４の側面図であり、図８（ｂ）は保持具６を備えた椅子４の背面図である。
保持具６は、シャワー３を保持するためのＵ字型部材６１と、Ｕ字型部材６１を椅子４に固定するための固定部材６２とからなる。保持具６は、椅子４の背もたれ部の下部（連結パイプ２４）に固定されるのが好ましいが、椅子４の座部（座板２１）または脚２０の上部または図示しない椅子４の肘掛けに固定しても良い。また、Ｕ字型部材６１は、固定部材６２に回転可能な部材により接続（Ｕ字型部材６１の先端が、座面２３の中心点に近づく方向および遠ざかる方向に回転可能に接続）されていることが好ましい。シャワー３をより適切な位置に設置できる。【００２１】  この保持具６は以下の条件を満たすよう椅子２に設置・固定される（ただし、これに限るものではない）。Ｕ字型部材６１は、椅子２の座面２３の外周面２８（ここでは後方外周面２８ｂであるが、右外周面ａまたは左外周面ｃであってもよい）の近傍に位置し、シャワー３から排出されたお湯が外周面２８に向かうようにする。Ｕ字型部材６１はシャワーヘッド３４の排水部３０または胴体部３２を保持する。シャワー３を保持具６１で保持した場合、シャワー３の排水面３１は座面２３より上に位置し、シャワー３の根元部３３は座面２３の下に位置し、排水面３１は外周面２８（ここでは後方外周面２８ｂであるが、右外周面ａまたは左外周面ｃであってもよい）の近傍に位置し、排水面３１は下方を向き、且つ、外周面２８の方向を向き、且つ、座面２３の中心方向に向くようにする。
この保持具６は構成が簡素なので、小さくて嵩張らず、製造コストも安くすることができる。
【実施例５】
【００２２】  次に、本発明の実施例５を図９に基づいて説明する。
実施例４では、シャワー３の排出部３０または胴体部３２を保持する保持具６について説明したが、本実施例ではシャワー３の根元部３３を保持する保持具（アーム７）について説明する。
図９（ａ）はアーム７を取り付けた椅子４の側面図であり、図９（ｂ）はアーム７の上面図である。アーム７は、椅子２とシャワー３との距離を一定に保つために（椅子２からシャワー３を遠ざけるために）、一定の長さを有する細長の立方体部材である。アーム７は、シャワーヘッド３４の長さより短く形成する。シャワーヘッド３４より長くすると、お湯が座面２３に届かないからである。
アーム７は、椅子２の脚２０に通すための円形の孔（脚用孔７１）と、シャワー３の根本３３を保持するための空間７２とを備える。脚用孔７１の直径は、脚２０の直径よりやや大きく形成されている。この保持具６の脚用孔７０を脚２０の下から通し、脚２０の上部で止める。次に、シャワー３の根元部３３を空間７２に挿入する。これによりシャワー３を椅子２に保持することができ、また排水面３１を座面２３の外周面２８の近傍に位置させることができる。なお、アーム７は、脚部２０ではなく、座部（座板２１）または背もたれ部（連結パイプ２４）に設けても良い。
【実施例６】
【００２３】  次に、本発明の実施例６（床面の保温具８）を図１０に基づいて説明する。
図１０（ａ）は保温具８の斜視図であり、図１０（ｂ）は保温具８を備えた椅子４の側面図である。
保温具８は実施例１の保温具１と似ているが、誘導管１４の他に、誘導管１４よりも下方に長く伸びる誘導管８１（床面への誘導部材）を備える点で保温具１とは異なる。誘導管８１は誘導管１４を長くしたものであるが、その基本構造は誘導管１４と同様である。
誘導管８１は、浴室の床面８５を保温するためのものであり、上下方向に伸びる垂直管８２と、お湯を斜め下に排出する排出管８３とからなる。排出管８３の排出口８４（液体排出部）は、床面８５のよりも上に位置し、且つ、座面２３よりも下に位置する。この保温具８を使用することにより、座面２３だけでなく床面８５も保温することができる。
なお、排出口８４の先端を細くして、増圧により遠くまでお湯が届くようにしても良い。【００２４】  排出管８２は、水平方向に回転可能な部材である。
図１１（ａ）は誘導管８０の下方先喘部を拡大した断面図であり、図１１（ｂ）は誘導管８１（排出管８３）の底面図である。
排出管８３の内周の直径は垂直管８２の外周の直径にとほぼ同じ長さであり、垂直管８２を排出管８３に回転可能に嵌め込むことができる。これにより図１１（ｂ）のように排出管８３は３６０度回転可能となる。これにより、椅子４の角度を変えても、常にお湯を温めたい方向（好ましくは浴室の入り口方向）に排出することができる。また、
なお、誘導管８１の排出口８４だけでなく、誘導管１４の排出口１９も同様の構造として回転可能にしても良い。
【実施例７】
【００２５】  次に、本発明の実施例７を図１２に基づいて説明する。
図１２（ａ）は椅子４の側面図であり、図１２（ｂ）は椅子４の背面図である。
本実施例は、実施例６の誘導管１４および誘導管８１をゴム状部材で形成された弾力性・柔軟性のあるホースにしたものである。ホースは広く市販されているので低コストにでき、弾力性・柔軟性があるので扱いが容易となる。【００２６】  なお、ホースの先端を固定するため図１２（ｂ）のようなホース固定部材８７を椅子４に設けても良い。ホース固定部材８７は、ホースの直径よりやや大きい内径を有するリング状部材８８と、リング状部材８８を椅子４に固定するための部材８９（例えば椅子４とリング状部材８８双方を接着して結合させる板状部材）とからなる。このホース固定部材８７を設置すれば、ホース先端を意図する方向（温めたい箇所の方向）に固定できる。なお、脚２０に固定するホース固定部材８７は、４本の脚２０すべてに設置することもできるし、任意の１本の脚２０に設置しても良い。【００２７】  上記実施例では、特定の例に基づいて本発明の内容を説明したが、本発明はこれに限るものではない。すなわち、本発明の趣旨に沿うものであれば、異なる位置・角度・大きさ・形状・素材であてもよい。
また、本発明は、介護施設のみならず個人の自宅等でも利用できる。
【符号の説明】
【００２８】  １  保温具、２  椅子、３  シャワー、４  保温具を備える椅子、５  保温具、６  保持具、７  アーム、１０  消毒剤保持具、１０ａ  消毒剤、１１  本体部、１２  誘導管、１３  内部空間、１４  上面、１５  底面、１６  通孔、１７  垂直管、１８  排出管、２０  脚、２１  座板、２２  座板用クッション、２３  座面、２４  連結パイプ、２５  背板、２６  背面クッション、２７  中心面、２８  外周面  ２８ａ  右外周面、２８ｂ  前方外周面、２８ｃ  左外周面、２８ｄ  後方外周面、３０  排出部  ３１  排出面、３２  胴体部  ３３  根元部  ３４  シャワーヘッド、３５  連結部、３６  ホース、５０  フック、６１  Ｕ字型部材、６２  固定部材、７１  脚用孔、７２  空間、８１  誘導管、８２  垂直管、８３  排出管、８４  排出口、８５  床、８７  ホース固定部材  ８８  リング状部材  ９１  介助者、９２  高齢者、９３  椅子  ９４  座面、９５  床
【図１】
2018204413.tif 000003
【図２】
2018204413.tif 000004
【図３】
2018204413.tif 000005
【図４】
2018204413.tif 000006
【図５】
2018204413.tif 000007
【図６】
2018204413.tif 000008
【図７】
2018204413.tif 000009
【図８】
2018204413.tif 000010
【図９】
2018204413.tif 000011
【図１０】
2018204413.tif 000012
【図１１】
2018204413.tif 000013
【図１２】
2018204413.tif 000014
【図１３】
2018204413.tif 000015